(57)【要約】【課題】非防水性床材の上に防水性を有する接着剤を被覆することによって簡単に床タイルを設置でき、尚且つ防水構造を有する簡易タイル床構造を提供する。【解決手段】非防水性床材１０の上に防水性を有する接着剤１１によってこれを被覆するとともにタイル１２を貼り合わせた簡易タイル床構造１である。【選択図】図１
2004019355.tif 000002
【特許請求の範囲】
【請求項１】
非防水性床材の上に防水性を有する接着剤によってこれを被覆するとともにタイルを貼り合わせたことを特徴とする簡易タイル床構造。
【請求項２】
前記防水性を有する接着剤が、未加硫ブチルゴム系接着剤であることを特徴とする請求項１記載の簡易タイル床構造。
【請求項３】
前記防水性を有する接着剤が、変成シリコン樹脂を含む弾性接着剤であることを特徴とする請求項１記載の簡易タイル床構造。
【発明の詳細な説明】
【０００１】
【発明の属する技術分野】
本発明は、非防水性床材の上に防水性を有する接着剤を被覆することによって簡単に床タイルを設置でき、尚且つ防水構造を有する簡易タイル床構造に関する。
【０００２】
【従来の技術】
洗面室や浴室の脱衣所、台所等の水廻り箇所の床構造における仕上げ材としては耐水性あるいは撥水性のあるタイル等が使用される。又、水廻り個所の床仕上げ材として木材や竹などをスノコ状に配置したものや、天然繊維や合成繊維を用いたカーペット状の床材を用いることもある。
【０００３】
【発明が解決しようとする課題】
しかし、上記木材などの天然材料を用いた床仕上げ材は、腐食し易く、耐久性に劣るという欠点がある。湿気が多く頻繁に水濡れが発生する水廻り個所では、腐食の進行が著しくなる。又、木材や繊維材料からなる床仕上げ材は、表面あるいは内部にカビが発生し易いという問題がある。木材や繊維材料は、水濡れや結露で吸水した水分が放出され難いという問題がある。又構造用合板、パーティクルボード等の非防水性床材の上に簡単に床仕上げ材である床タイルを防水性を有する状態で設置できる方法はなく、水をこぼしてしまうと、床材にしみ込んでしまうため床材の耐久性に悪影響するという問題がある。
【０００４】
本発明は、上記欠点を解消し、非防水性床材の上に防水性を有する接着剤を被覆することによって簡単に床タイルを設置でき、尚且つ防水構造を有する簡易タイル床構造を提供することにある。
【０００５】
【課題を解決するための手段】
請求項１記載の発明は、簡易タイル床構造であって、非防水性床材の上に防水性を有する接着剤によってこれを被覆するとともにタイルを貼り合わせたことを特徴とする。
【０００６】
請求項２記載の発明は、請求項１記載の簡易タイル床構造において、前記防水性を有する接着剤が、未加硫ブチルゴム系接着剤であることを特徴とする。
【０００７】
請求項３記載の発明は、請求項１記載の簡易タイル床構造において、前記防水性を有する接着剤が、変成シリコン樹脂を含む弾性接着剤であることを特徴とする。
【０００８】
（作用）
請求項１記載の本発明の簡易タイル床構造によると、非防水性床材の上に防水性を有する接着剤によってこれを被覆するとともにタイルを貼り合わせるだけで簡単に防水性のタイル床構造が得られる。
【０００９】
請求項２記載の本発明の簡易タイル床構造によると、前記防水性を有する接着剤が、未加硫ブチルゴム系接着剤であるので、施工初期の粘着力が強く非防水性床材及びタイルに対する接着性に優れ、長期間に渡り接着強度が低下することが無いので耐久性に優れた防水性のタイル床構造が得られる。
【００１０】
請求項３記載の本発明の簡易タイル床構造によると、前記防水性を有する接着剤が、変成シリコン樹脂を含む弾性接着剤であるので、タイルに振動や衝撃が加わっても、これを弾性を有する接着剤層が吸収、緩衝してタイルの剥離を防止し、変成シリコン樹脂を含む弾性接着剤間層の一層のみでタイルを接着することが可能であるから、接着作業が簡単になり、しかもコストが低いものとなる。
【００１１】
【発明の実施の形態】
以下、この発明の一実施の形態を図面に基づいて説明する。図１は、簡易タイル床構造の断面図である。
【００１２】
図１において、１は簡易タイル床である。この簡易タイル床１は、構造用合板、あるいはパーティクルボード等からなる床材１０の上に直接防水性を有する接着剤１１によって床タイル１２を接着して簡易タイル床１が構成されている。防水性を有する接着剤１１は、床材１０の上面の全面を被覆して防水性を発揮する。
【００１３】
実施例１（未加硫ブチルゴム接着シートの製造と床への施工）
シート基材として０．１〜１ｍｍ厚の織布又は不織布が用いられ、その両面に未加硫ブチルゴムをそれぞれ０．２〜２ｍｍの厚さに塗布する。両面に離型紙が被覆され長尺シート又はロール状に巻き取られる。粘着層として使用される未加硫ブチルゴムは低温可撓性、柔軟性、汚染性に優れ、低温、高温下でも安定した性能を発揮し、施工性も良好となる。
【００１４】
得られた未加硫ブチルゴム接着シート１１ａの長尺シート又はロール状に巻き取られたものから適当な長さに裁断されたのち片側の離型紙が取り除かれ、構造用合板からなる床材１０ａの上にこれの全面を被覆するように貼設された。そして表面側の離型紙が取り除かれ、未加硫ブチルゴム接着面に矩形板状の床タイル１２ａが敷き詰められた。
【００１５】
（本実施例１の作用）
上記のようにして得られた簡易タイル床構造１ａは施工中溶剤を使用しないため、作業環境は良好であった。又、施工後、直ちに歩行が可能となった。更に使用した。
未加硫ブチルゴムが防水材の機能をはたし防水効果も十分であった。また、未加硫ブチルゴムが音を吸収する効果があり、遮音性にも優れていた。
【００１６】
上記床タイル１２ａは、陶磁器質タイルであるが、合成樹脂製の樹脂タイルでもよい。
【００１７】
実施例２（弾性接着剤の製造と床への施工）
変成シリコン樹脂を含む弾性を有する接着剤は変成シリコン樹脂系接着剤、ウレタン樹脂系接着剤と変成シリコン樹脂の混合物からなる接着剤、エポキシ樹脂系接着剤と変成シリコン樹脂の混合物からなる接着剤等の反応型接着剤を塗布することによって形成される。接着剤層中には、変成シリコン樹脂を３０重量％以上含んでいるのが好ましい。変成シリコン樹脂は接着剤層に弾性を発揮させる働きがあるものであるので、これが少なすぎると、接着剤層の弾性がなくなってくる。接着剤の塗布量としては、タイルの形状によって異なるが、２００ｇ／ｍ２以上塗布するのが、弾性と防水性が性能良く発揮され好ましい。更に好ましい接着剤の塗布量としては２４０〜６００ｇ／ｍ２である。接着剤層の厚みとしては１５０ミクロン以上が好ましく、更に好ましくは１９０〜４７５ミクロンである。
【００１８】
次に具体的に説明する。
エポキシ樹脂１００重量部、変成シリコン樹脂１００重量部、硬化剤１０重量部を混合して弾性を有する接着剤１１ｂを調整し、パーティクルボードからなる床材１０ｂ上にくしべらとローラーで５００ｇ／ｍ２（厚み約４００ミクロン）をその全面に塗布し、床タイル１２ｂを接着した。接着剤層１１ｂは約１時間で硬化し、床タイル１２ｂが強固に接着された。接着剤層１１ｂの物性は、せん断応力度が４．０ｋｇ／ｃｍ２，弾性限界時のせん断歪みが０．３２であった。また、接着剤層１１ｂは防水性の優れたものであった。
【００１９】
（本実施例２の作用）
上記のようにして得られた簡易タイル床構造１ｂは衝撃に強く、しかも防水性能の優れたものであるから、振動の発生する運搬などにも耐えられ、水等がこぼれてきても非防水性の床材１０ｂに悪影響を与えることが無く、耐久性に優れた簡易タイル床構造が得られた。
【００２０】
【発明の効果】
請求項１記載の本発明の簡易タイル床構造によると、非防水性床材の上に防水性を有する接着剤によってこれを被覆するとともにタイルを貼り合わせるだけで簡単に防水性のタイル床構造が得られる。
【００２１】
請求項２記載の本発明の簡易タイル床構造によると、前記防水性を有する接着剤が、未加硫ブチルゴム系接着剤であるので、施工初期の粘着力が強く非防水性床材及びタイルに対する接着性に優れ、長期間に渡り接着強度が低下することが無いので耐久性に優れた防水性のタイル床構造が得られる。
【００２２】
請求項３記載の本発明の簡易タイル床構造によると、前記防水性を有する接着剤が、変成シリコン樹脂を含む弾性接着剤であるので、タイルに振動や衝撃が加わっても、これを弾性を有する接着剤層が吸収、緩衝してタイルの剥離を防止し、変成シリコン樹脂を含む弾性接着剤間層の一層のみでタイルを接着することが可能であるから、接着作業が簡単になり、しかもコストが低いタイル床構造が得られる。
【図面の簡単な説明】
【図１】この発明の一実施の形態であって、簡易タイル床構造の断面図である。
【符号の説明】
１（１ａ，１ｂ）　　　　簡易タイル床構造
１０（１０ａ，１０ｂ）　床材
１１（１１ａ，１１ｂ）　　接着剤
１２（１２ａ，１２ｂ）　　タイル
【図１】
2004019355.tif 000003